(57)【要約】【課題】ハンダ付けを必要とせず回路基板を容器に収納して各部品を係合、組立するだけで接続端子への電気的な接続ができ、点灯管を形成することができる電子点灯管を得る。【解決手段】電子点灯管Ａは、点灯管ケース１内に電子点灯回路を搭載した回路基板２を収納し、容器の閉塞側に接続端子としてねじ込み口金４を嵌合、固定し、この口金４の内部で回路基板２の下端との間に端板３を挿置し、回路基板２には２つの回路端子５、６を係合、接続し、かつ一方の回路端子５はねじ込み口金に係合、接続させ、他方の回路端子６は端板の孔３ｂから突出させてもう一方の接続端子とし、各部品を係合、接続するように組立てるだけで電気的接続を得られるように構成されている。【選択図】図１
2005085732.tif 000002
【特許請求の範囲】
【請求項１】
蛍光灯を点灯するための各種電子部品の組合わせから成る電子点灯回路を搭載した回路基板を一端開放状の点灯管容器内に収納し、容器開口を端板で閉じて容器の閉塞側に一方の接続端子としてねじ込み口金を設け、回路基板には２つの回路端子を係合、接続し、一方の回路端子はねじ込み口金に接続し、他方の回路端子は端板に設けた挿通孔に挿入して突出させ、この回路端子の突出端をもう一方の接続端子とし、上記各部品の組立ての際に一方の回路端子を接続端子に係合させて電気的な接続をするように構成した電子点灯管。
【請求項２】
前記端板を絶縁ガラス材で形成したことを特徴とする請求項１に記載の電子点灯管。
【請求項３】
前記一方の回路端子を点灯管容器の下端に設けたスリットに挿通して回路基板の所定位置に係合、接続するようにしたことを特徴とする請求項１又は２に記載の電子点灯管。
【請求項４】
蛍光灯を点灯するための各種電子部品の組合わせから成る電子点灯回路を搭載した回路基板を一端開放状の点灯管容器内に収納し、容器開口を端板で閉じて容器の閉塞側に蛍光灯の両電極へ接続するための接続端子を配設し、回路基板に係合、接続した回路端子を上記各部品の組立ての際に上記接続端子に係合させて電気的な接続をするように構成した電子点灯管。
【請求項５】
前記接続端子を端板に配設し、上記各部品の組立ての際に回路端子の弾性を利用して回路端子を接続端子に係合、接続するように設けたことを特徴する請求項４に記載の電子点灯管。
【発明の詳細な説明】
【技術分野】
【０００１】
この発明は、蛍光灯を点灯するための始動手段として半導体スイッチング素子等の電子部品を利用した電子スタータを内蔵する電子点灯管に関する。
【背景技術】
【０００２】
蛍光灯を点灯するためのスタータとして、従来より使用されているグローランプを用いたスタータは、構造がシンプルでコストが安いという点で広く利用されているが、点灯時間が長くかかり、蛍光灯の劣化を速めるなどの欠点もある。このため、グローランプに代えて半導体スイッチング素子等の電子部品を用いた電子点灯管が提案されている。この電子点灯管は、一般にグローランプと互換性のある形状の容器内に電子部品等を配設した基板が収容されている。
【０００３】
上記電子点灯管の一例として、特許文献１に示された「蛍光ランプ点灯装置」が公知である。この点灯装置は、蛍光ランプの両電極間の導通をスイッチングするトランジスタにダイオード、抵抗、コンデンサ等を組合わせたタイマ回路、サイリスタ等を有するトランジスタのベース駆動制御手段を接続し、トランジスタの過電圧を吸収するサージアブソーバ等を接続して点灯回路を構成し、これらを回路基板上に配設して回路基板をグローランプと互換性のある形状の容器内に収納し、容器端部の開口を蓋で閉じて形成されている。
【０００４】
上記点灯装置の回路基板を容器内に収納して電子点灯管を形成する容器形状として、使用される電圧の高低により２つの形式のものが示されており、１つは容器端部の開口を蓋板で閉じ、これに２つの突出端子を設け、突出端子は容器内で２本のリード線で回路基板に接続されている。もう１つは、容器端部にねじ込み口金を接続し、口金の端部開口を蓋板で閉じ、蓋板に電極を設け、口金と電極のそれぞれをリード線で内部で回路基板に接続して形成されている。上記いずれのリード線も接続点はハンダで接続されている。
【０００５】
しかし、上記のようにリード線を用いて回路基板と端子又は電極とを接続する形式では、基板を容器へ挿入後にリード線とのハンダ付けの工程が必要である。容器外で基板に電子部品を取付ける工程でハンダ付けするが、その際リード線のハンダ付けはできず、基板を容器内へ収納後リード線のハンダ付けをするため、二度手間となってコストが上昇する。又、ハンダを使い続けるには、環境面に配慮して無鉛ハンダなどを用いる必要があり、これもコストを上昇させることとなる。
【特許文献１】特開平６−３４２６９４号公報
【発明の開示】
【発明が解決しようとする課題】
【０００６】
この発明は、上記の問題に留意して、ハンダ付けを必要とせず回路基板を容器に収納して各部品を係合、組立するだけで接続端子への電気的な接続ができ、点灯管を形成することができる電子点灯管を提供することを課題とする。
【課題を解決するための手段】
【０００７】
この発明は、上記の課題を解決する手段として、蛍光灯を点灯するための各種電子部品の組合わせから成る電子点灯回路を搭載した回路基板を一端開放状の点灯管容器内に収納し、容器開口を端板で閉じて容器の閉塞側に一方の接続端子としてねじ込み口金を設け、回路基板には２つの回路端子を係合、接続し、一方の回路端子はねじ込み口金に接続し、他方の回路端子は端板に設けた挿通孔に挿入して突出させ、この回路端子の突出端をもう一方の接続端子とし、上記各部品の組立ての際に一方の回路端子を接続端子に係合させて電気的な接続をするように構成した電子点灯管としたのである。
【０００８】
もう１つ別の形式のものとして、蛍光灯を点灯するための各種電子部品の組合わせから成る電子点灯回路を搭載した回路基板を一端開放状の点灯管容器内に収納し、容器開口を端板で閉じて容器の閉塞側に蛍光灯の両電極へ接続するための接続端子を配設し、回路基板に係合、接続した回路端子を上記各部品の組立ての際に上記接続端子に係合させて電気的な接続をするように構成した電子点灯管とすることもできる。
【０００９】
第１、第２の発明のいずれの電子点灯管も、回路基板を点灯管容器内に収納し、回路基板に係合、接続された回路端子を接続端子に係合、接続又は端板に挿入、突出させて各部品を組立てることにより点灯管が形成されると共に、回路端子を介して回路基板と接続端子の電気的な接続が行なわれる。又、いずれの電子点灯管も、従来のグロースタータと互換性のある形状、寸法とすることにより従来のグロースタータに代えて用いることができる。
【発明の効果】
【００１０】
上記第１、第２の発明の電子点灯管は、いずれも各部品の組立ての際に回路端子を接続端子に係合させて電気的な接続をするようにしたから、各部品を組立てるだけで点灯管が得られ、従来のようなリード線が不要で、かつリード線をハンダで接続するという煩わしい作業が不要となり、コストが安価で確実に作動する点灯管が得られる。
【発明を実施するための最良の形態】
【００１１】
以下、この発明の実施の形態について図面を参照して説明する。図１は、第１実施形態の電子点灯管Ａの概略構成図、図２に部分拡大斜視図を示す。図１では、（ａ）中央断面図、（ｂ）（ａ）図の矢視Ｂ−Ｂの断面図、（ｃ）（ａ）図の矢視Ｃ−Ｃの断面図をそれぞれ含んでいる。電子点灯管Ａは一端開放状の中空筒から形成された樹脂製の点灯管ケース１と、その内部に収容された回路基板２と、ケース端を閉じるガラス絶縁材の端板３と、端板で閉塞された端側に接続端子として設けられたねじ込み口金４とを備えている。
【００１２】
詳細は図示省略しているが、回路基板２にはトランジスタ、ダイオード、コンデンサ等の電子部品が搭載され、点灯回路を構成している。この回路基板２上の点灯回路の接続ラインには２つの回路端子５、６が接続され、一方の回路端子５はケース１の下端のねじ込み口金４に電気的に接続され、他方の回路端子６はその下端が端板３の中央穴から外部へ突出するように設けられている。
【００１３】
点灯管ケース１は、その開口側端部に異径の段差１ｘが設けてあり、この段差１ｘに口金４の上端を圧入、嵌合させてケース端に固定している。ねじ込み口金４は、グローランプによる従来の点灯管に用いられているものと同じ金属製のものであり、その上端の平行部に続いてねじ部４ａを有し、下端のフランジ部４ｂにより端板３を支持している。端板３の断面は、図示のように、傾斜部３ａにより中央が凹状のすり鉢状とされ、中心に設けられた孔３ｂに回路端子６の下端の突起６ｂが挿入されて外部へ突出している。
【００１４】
回路基板２は、ケース１の中心より少しずれた位置にケース１の内側で軸方向に左右２箇所に設けられた案内溝１ｔに沿って嵌合され、回路基板２の下端の肩部２ｓが、図１の（ａ）図に示す組立状態で端板３の傾斜部３ａに当接するように形成されている。この回路基板２に接続される回路端子５は、図２の（ａ）図に示すように、湾曲板５ａを略Ｌ字状に基部５ｂに接続し、基部５ｂから突出する係合子５ｃとから形成されている。
【００１５】
上記回路端子５は、ケース１の下端から適宜高さ位置まで延び、かつ回路基板２の一側方寄りでケース１に設けられたスリット１ｓに沿って基部５ｂが挿入され、図２の（ａ）図の所定位置で回路基板２に設けられた係合穴２H に係合子５ｃを挿通させて係合される。係合子５ｃは突片の一部がカットされて爪５ｎを有し、この爪５ｎが係合穴２H に挿通されると、その弾性で基部５ｂとの間に回路基板２を挟んで係合するようになっている。又、湾曲部５ａの外側には組立状態で口金４の平行部が重なり、これによりねじ込み口金４が回路基板２に電気的に接続されることとなる。
【００１６】
もう一方の回路端子６は、図２の（ｂ）図に示すように、弾性を有する湾曲板６ａの一端に突起部６ｂを接続し、他端から係合子６ｃを突出させて回路基板２に係合させるように形成されている。回路基板２の下端寄り位置にはこの回路端子６を係合するための係合穴２H ’が設けられており、係合子６ｃをこの係合穴２H ’に挿通させると、係合子６ｃの突片の一部がカットされて形成されている爪６ｎがその弾性で突片から起立し、湾曲板６ａの端に形成された三角板６ｄ、６ｄとの間に回路基板２を挟んで係合するようになっている。突起部６ｂは端板３の孔３ｂに挿入されることは前述した通りである。
【００１７】
第１実施形態の電子点灯管Ａは以上のように構成されており、各構成部材をそれぞれ挿入、嵌合して組立てるだけで電気的な接続を図り、完成品が得られる。従って、従来の特許文献１のようなリード線をハンダで固定して接続金具と回路基板を接続する構成及び取付作業は不要となる。上記電子点灯管Ａでは、例えば回路基板２に予め回路端子５と回路端子６をそれぞれの係合子５ｃ、６ｃを係合穴２H 、２H ’に挿通させて取付けておき、その回路基板２を点灯管ケース１の開口から挿入する。
【００１８】
このとき、回路基板２をケース１の内周の案内溝１ｔに沿って挿入すると共に、回路端子５をケース１の下方のスリット１ｓに挿入して基板上端をケース１内の頂部に当接させる。一方、ねじ込み口金４内には端板３を予め嵌合させておき、このねじ込み口金４の上端の平行部をケース１の下端側へ挿入して、図１の（ａ）、（ｂ）図に示す位置まで圧入、嵌合する。このとき、既に挿置されている回路基板２に取付けられた回路端子６の突起部６ｂが端板３の孔３ｂに一致するように位置を合わせて挿入する。
【００１９】
以上の組立作業を行なうだけで回路基板２上の点灯回路は回路端子５、６を経由して、接続金具である口金４に電気的な接続が行なわれる。なお、この実施形態では回路端子６の突起部６ｂが接続金具のもう一方の部材の役目を兼ねている。又、組立てられた上記電子点灯管Ａは、全体形状として、従来のグロースタータと互換性のある同等形状に形成されるよう外部構成部材の形状、寸法を設計するものとする。
【００２０】
図３に第２実施形態の電子点灯管Ａ’の概略構成図、図４に部分拡大図を示す。図示のように、電子点灯管Ａ’は、端子型の点灯管であり、ねじ込み口金は用いていない点が異なる。第１実施形態の電子点灯管Ａが一般的な蛍光灯に用いられるのに対し、この形式のものは、高電圧の蛍光灯に用いられる。
【００２１】
電子点灯管Ａ’は、一端開放状の中空筒から形成された樹脂製の点灯管ケース１と、その内部に収容された回路基板２と、ケース端を閉じるベーク材を用いた端板３と、端板３に取付けられた一対の接続端子８、８とを備えている。第１実施形態と同一機能部材には同一符号を付して説明を省略する。回路基板２は、ケース１の下端を閉じる端板３に接する長さに形成され、端板３に所定の間隔に取付けられた接続端子８、８に電気的な接続するための一対の回路端子７、７が回路基板２の下端寄り位置に接続端子８、８に対応してそれぞれ設けられている。
【００２２】
回路基板２は、この実施形態でも図３の（ｃ）図に示すように、中心より少しずれた位置に案内溝１ｔにより両端が挟持されて挿置されている。接続端子８は、先端側に少しずつ径が小さくなった異径段状のボルト形状とされ、先端寄りの最小径部８ｂに回路端子７が係合するように形成されている。頭部８ａは蛍光灯の電極への接続のための端子となる。
【００２３】
回路端子７は、基部７ａの両側に靴形の側板７ｂ、７ｂを設け、一端に突出して形成された係合子７ｃを有する。係合子７ｃにはその両端に爪７ｎ、７ｎが形成され、回路基板２の係合穴２H に先端側の爪７ｎを挿通させるとその弾性で回路基板２を挟持して接続される。側板７ｂ寄りの爪７ｎは三角状に折られて爪の役目をする。基部７ａは端子８に係合する際、一点鎖線のように湾曲し、側板７ｂの円弧部が接続端子８の最小径部８ｂに嵌合すると弾性により実線の状態に戻り、回路端子７が接続端子８に接続される。
【００２４】
上記の構成とした第２実施形態の電子点灯管Ａ’は、第１実施形態と同様に、各構成部材をそれぞれ挿入、嵌合して組立てるだけで電気的な接続を図り完成品が得られる。上記電子点灯管Ａ’では、例えば回路基板２に予め回路端子７、７を係合子７ｃ、７ｃによりそれぞれ係合させておき、その回路基板２を点灯管ケース１の開口から挿入する。このとき、回路基板２はケース１の案内溝１ｔに沿って挿入し、かつ基板上端をケース１内の頂部に当接させる。
【００２５】
一方、端板３には接続端子８、８を取付穴３H に挿入して取付けておき、この端板３をケース１の下端の開口に挿入する。端板３を挿入する際に接続端子８、８に回路端子７、７を係合させるため、接続端子８、８の先端を回路端子７、７の側板７ｂ、７ｂの円弧部に押し付けると回路端子７、７が一点鎖線（図４の（ａ）図）の状態に湾曲するが、最小径部８ｂ、８ｂまで押し込まれると実線状態に戻り、回路端子７、７は接続端子８、８に係合する。
【００２６】
これにより、回路基板２は回路端子７、７を介して接続端子８、８に電気的な接続が行なわれる。この実施形態でも組立てられた電子点灯管Ａ’は、全体形状として、従来と同様のグロースタータと互換性のある同等形状に形成されるよう外部構成部材の形状、寸法を設計するものとする。
【産業上の利用可能性】
【００２７】
この発明の電子点灯管は、従来のグロースタータ等に代えて互換性があり、かつコストの安い、長寿命の点灯管として各家庭、オフィス、工場等のあらゆる場所で蛍光灯を点灯するのに広く利用される。
【図面の簡単な説明】
【００２８】
【図１】第１実施形態の電子点灯管の概略構成図
【図２】同上の要部の部分拡大斜視図
【図３】第２実施形態の電子点灯管の概略構成図
【図４】同上の要部の部分拡大斜視図
【符号の説明】
【００２９】
１        点灯管ケース
２        回路基板
３        端板
４        ねじ込み口金
４ａ      ねじ部
５、６    回路端子
７        回路端子
８        接続端子
Ａ、Ａ’  電子点灯管
【図１】
2005085732.tif 000003
【図２】
2005085732.tif 000004
【図３】
2005085732.tif 000005
【図４】
2005085732.tif 000006